(57)【特許請求の範囲】
【請求項１】
底部と、底部の相対する一方の土手部にヒンジ連結された相対する一方の側壁と、底部の相対するもう一方の土手部にヒンジ連結された相対するもう一方の側壁とから構成されており、折り畳まれた状態から、相対する一方の側壁を略垂直に立て、次いで、相対するもう一方の側壁を略垂直に立てることにより、箱型に組み立てることが可能な折り畳みコンテナーにおいて、折り畳まれた状態から、最初に略垂直に立てられる側壁には、該側壁の板状部に対して、略直角方向に延在する係合部が形成されており、該係合部の板部の内面には、上下方向に所定の間隔を置いて形成された相対する水平突条と該相対する水平突条の端部を連結する垂直突条とからなる略コの字状の突条部が形成されており、このような略コの字状の突条部を形成することにより、前記係合部には、前記側壁の板状部の内面と前記略コの字状の突条部と前記係合部の板部の内面とにより囲まれた嵌合透孔が形成されているとともに、略コの字状の突条部には、嵌合ブロックが突設されており、また、前記後から立てられる側壁には、該側壁の板状部を、端部垂直リブを越えて延長することにより係合部が形成されているとともに、該係合部には、嵌合突部と、前記側壁の端部垂直リブと前記係合部の板部と前記嵌合突部に連接された相対する水平連結リブとにより囲まれた凹部とが形成されており、折り畳みコンテナーが箱型に組み立てられた際には、前記後から立てられる側壁の係合部に形成された前記凹部に、前記最初に立てられる側壁の係合部に形成された前記嵌合ブロックが嵌合され、また、前記後から立てられる側壁の係合部に形成された前記嵌合突部が、前記最初に立てられる側壁の係合部に形成された前記嵌合透孔に嵌合されるように構成されていることを特徴とする折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とから構成されており、箱型に組み立てられた状態から、相対する一方の側壁を底部方向に倒し、次いで、相対するもう一方の側壁を、同じく、底部方向に倒すことにより、折り畳むことが可能な折り畳みコンテナーに関するものである。
【背景技術】
【０００２】
従来、箱型に組み立てられた状態から、先に底部方向に倒される側壁の両端部には、側壁を延長することにより係合部が形成されており、この係合部には、適当数の嵌合突部が突設されており、また、後から底部方向に倒される側壁の両端部には、側壁に対して略垂直な係合部が形成されており、この係合部には、適当数の嵌合孔が穿設されているとともに、後から底部方向に倒される側壁には、先端に係止突部を有する係止弾性片が形成されている。
【０００３】
箱型に組み立てられた状態においては、先に底部方向に倒される側壁に形成された係合部と後から底部方向に倒される側壁に形成された係合部とが対向するように構成されているとともに、先に底部方向に倒される側壁に形成された係合部に突設された嵌合突部が、後から底部方向に倒される側壁に形成された係合部に穿設された嵌合孔に挿入されており、また、先に底部方向に倒される側壁に形成された係合部が、後から底部方向に倒される側壁に形成された係止弾性片の係止突部に当接し、先に底部方向に倒される側壁が、底部方向に倒れないように構成されている。
【０００４】
上述したような構成を有する折り畳みコンテナーは、一例とて、特許文献１に開示されている。
【０００５】
【特許文献１】特開２００２−２４０８２３号公報
【発明の開示】
【発明が解決しようとする課題】
【０００６】
折り畳みコンテナーが箱型に組み立てられた際には、上述したように、先に底部方向に倒される側壁に形成された係合部に突設された嵌合突部が、後から底部方向に倒される側壁に形成された係合部に穿設された嵌合孔に挿入されるように構成されているが、嵌合突部と嵌合孔との嵌合量が少ないので、折り畳みコンテナーにひねり等の負荷が加わった場合に、嵌合突部と嵌合孔との嵌合が解除されるという問題がある。
【０００７】
嵌合突部の長さを長くするとともに、嵌合孔を深くすることにより、嵌合突部と嵌合孔との嵌合量を多くすることができるが、嵌合突部の長さを長くするとともに、嵌合孔を深くすると、側壁の厚さが厚くなり、従って、折り畳みコンテナーの重量が増加するとともに、折り畳みコンテナーの内寸法が減少し、折り畳みコンテナーの内容積が減少するという問題がある。      
【０００８】
本発明の目的は、上述した従来の折り畳みコンテナーが有する課題を解決することにある。
【課題を解決するための手段】
【０００９】
本発明は、上述した目的を達成するために、底部と、底部の相対する一方の土手部にヒンジ連結された相対する一方の側壁と、底部の相対するもう一方の土手部にヒンジ連結された相対するもう一方の側壁とから構成されており、折り畳まれた状態から、相対する一方の側壁を略垂直に立て、次いで、相対するもう一方の側壁を略垂直に立てることにより、箱型に組み立てることが可能な折り畳みコンテナーにおいて、折り畳まれた状態から、最初に略垂直に立てられる側壁には、該側壁の板状部に対して、略直角方向に延在する係合部が形成されており、該係合部の板部の内面には、上下方向に所定の間隔を置いて形成された相対する水平突条と該相対する水平突条の端部を連結する垂直突条とからなる略コの字状の突条部が形成されており、このような略コの字状の突条部を形成することにより、前記係合部には、前記側壁の板状部の内面と前記略コの字状の突条部と前記係合部の板部の内面とにより囲まれた嵌合透孔が形成されているとともに、略コの字状の突条部には、嵌合ブロックが突設されており、また、前記後から立てられる側壁には、該側壁の板状部を、端部垂直リブを越えて延長することにより係合部が形成されているとともに、該係合部には、嵌合突部と、前記側壁の端部垂直リブと前記係合部の板部と前記嵌合突部に連接された相対する水平連結リブとにより囲まれた凹部とが形成されており、折り畳みコンテナーが箱型に組み立てられた際には、前記後から立てられる側壁の係合部に形成された前記凹部に、前記最初に立てられる側壁の係合部に形成された前記嵌合ブロックが嵌合され、また、前記後から立てられる側壁の係合部に形成された前記嵌合突部が、前記最初に立てられる側壁の係合部に形成された前記嵌合透孔に嵌合されるように構成したものである。
【発明の効果】
【００１０】
折り畳まれた状態から、最初に略垂直に立てられる側壁に配設された係合部には、嵌合透孔と嵌合ブロックとを形成するとともに、後から略垂直に立てられる側壁に配設された係合部には、前記嵌合透孔に嵌合可能な嵌合突部と前記嵌合ブロックが嵌合可能な凹部とを形成したので、箱型に組み立てられた状態の折り畳みコンテナーにひねり等の負荷が加わった場合に、最初に略垂直に立てられる側壁の係合部と後から略垂直に立てられる側壁の係合枠との係合状態の解除を、確実に防止することができるとともに、箱型に組み立てられた状態の折り畳みコンテナーの剛性を高めることができる。
【実施例】
【００１１】
以下に、本発明の実施例について説明するが、本発明の趣旨を越えない限り、何ら、本実施例に限定されるものではない。
【００１２】
先ず最初に、図１〜図３を用いて、本発明の折り畳みコンテナーの全体構成について説明する。
【００１３】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、低く形成されている。底部１の長辺側土手部１ａには、適当なヒンジ部材を介して、長側壁２がヒンジ連結されており、また、底部１の短辺側土手部１ｂには、同じく適当なヒンジ部材を介して、短側壁３がヒンジ連結されている。
【００１４】
図１に示されているように、箱型に組み立てられた状態から、先ず最初に、図２に示されているように、長側壁２を底部１に重なるように倒し、次いで、短側壁３を、先に底部１に重なるように倒された長側壁２に重なるように倒すことにより、図３に示されているように、高さの低いコンパクトに折り畳むことができるように構成されている。また、図３に示されているように、折り畳まれた状態から、先ず最初に、図２に示されているように、短側壁３を略垂直に立て、次いで、長側壁２を略垂直に立てることにより、図１に示されているように、箱型に組み立てることができるように構成されている。
【００１５】
図１、図４〜図６等に示されているように、長側壁２は、横長の略長方形状の板状部２ａを有しており、板状部２ａの略水平な上端辺には、板状部２ａの外面（折り畳みを箱型に組み立てた際に、外側に位置する面）２ａ１に対して垂直な上端水平リブ２ｂが形成されており、また、板状部２ａの略水平な下端辺には、同じく、板状部２ａの外面２ａ１に対して垂直な下端水平リブ２ｃが形成されており、更に、板状部２ａの略垂直な左右端辺には、上端水平リブ２ｂの両端と下端水平リブ２ｃの両端を連結するとともに、板状部２ａの外面２ａ１に対して垂直な端部垂直リブ２ｄが形成されている。
【００１６】
長側壁２には、端部垂直リブ２ｄを越えて、板状部２ａを延長することにより、縦長の帯状板部４が形成されており、また、縦長の帯状板部４の上部領域には、帯状板部４の上部領域と、端部垂直リブ２ｄと、端部垂直リブ２ｄに対して垂直で、且つ、端部垂直リブ２ｄと同じ高さの水平状短リブ２ｅと、上端水平リブ２ｂとその上面が略面一な水平土手部５ａと、端部垂直リブ２ｄと略平行な垂直土手部５ｂとからなる係合部５が形成されており、水平土手部５ａ及び垂直土手部５ｂの帯状板部４からの高さは、端部垂直リブ２ｄや水平状短リブ２ｅより低く形成されている。
【００１７】
上述した係合部５には、適当数の嵌合突部５ｃが形成されており、本実施例においては、嵌合突部５ｃは、垂直土手部５ｂを、帯状板部４に対して略垂直に延在することにより形成された外側垂直板５ｃ１と、外側垂直壁５ｃ１の上下端に形成された相対する水平板５ｃ２とにより形成されている。また、端部垂直リブ２ｄと垂直土手部５ｂとの間には、垂直土手部５ｂと略高さが同じな相対する水平連結リブ５ｄが架橋されており、水平連結リブ５ｄは、上記の水平板５ｃ２に連接されている。このように構成することにより、係合部５には、帯状板部４と端部垂直リブ２ｄと垂直土手部５ｂと相対する水平連結リブ５ｄとにより囲まれている凹部５ｅが形成されている。
【００１８】
なお、長側壁２の板状部２ａの外面２ａ１には、必要に応じて適宜、水平リブ２ｆや垂直リブ２ｇが形成されている。
【００１９】
図２や図７等に示されているように、短側壁３は、横長の略長方形状の板状部３ａを有しており、板状部３ａの略水平な上端辺には、板状部３ａの外面（折り畳みを箱型に組み立てた際に、外側に位置する面）３ａ１に対して垂直な上端水平リブ３ｂが形成されており、また、板状部３ａの略水平な下端辺には、同じく、板状部３ａの外面３ａ１に対して垂直な下端水平リブ３ｃが形成されており、更に、板状部３ａの略垂直な左右端辺には、上端水平リブ３ｂの両端と下端水平リブ３ｃの両端を連結するとともに、板状部３ａの外面３ａ１に対して垂直な端部垂直リブ３ｄが形成されている。
【００２０】
短側壁３の両端部には、板状部３ａの内面（折り畳みを箱型に組み立てた際に、内側に位置する面）３ａ２に対して、略直角方向に延在する縦長の板部６ａが形成されており、板部６ａの内面（折り畳みを箱型に組み立てた際に、内側に位置する面）６ａ１には、上端水平リブ３ｂとその上面が略面一な水平土手部６ｂが形成されている。また、板部６ａの内面６ａ１には、上下方向に所定の間隔を置いて形成された相対する水平突条６ｃ１と、板部６ａの先端側に位置するとともに、相対する水平突条６ｃ１の端部を連結する垂直突条６ｃ２とからなる略コの字状の突条部６ｃが形成されており、板部６ａの内面６ａ１に、このような略コの字状の突条部６ｃを形成することにより、短側壁３の板状部３ａの内面３ａ２と略コの字状の突条部６ｃと板部６ａの内面６ａ１とにより囲まれた嵌合透孔或いは嵌合透孔６ｄが形成されている。このような短側壁３の板状部３ａの内面３ａ２と略コの字状の突条部６ｃと板部６ａの内面６ａ１とにより囲まれた嵌合透孔６ｄは、上述した長側壁２の係合部５に形成された嵌合突部５ｃに対応して、上下方向に所定数、形成されている。本実施例においては、長側壁２の係合部５には、嵌合突部５ｃが２個形成されているので、嵌合透孔６ｄも、２個形成されている。
【００２１】
短側壁３の上部両端角部には、上述したような板部６ａと水平土手部６ｂと略コの字状の突条部６ｃとにより、板状部３ａの内面３ａ２に対して略垂直な係合部６が形成されている。短側壁３に形成された係合部６の高さ、即ち、水平土手部６ｂの上面から縦長の板部６ａの下面までの高さと、長側壁２に形成された係合部５の高さ、即ち、水平土手部５ａの上面から水平状短リブ２ｅの上面までの高さとは、略同じ高さに形成されている。また、短側壁３に形成された係合部６を構成する略コの字状の土手部６ｃの垂直土手部６ｃ２の略中央部には、嵌合ブロック６ｅが突設されている。
【００２２】
係合部６付近に位置する短側壁３の板状部３ａに、互いに平行な一対の水平溝７ａと水平溝７ａの係合部６側の先端を連結する垂直溝７ｂとからなるコの字状のスリット７を形成することにより、係合部６側が自由端に形成された弾性舌片８が形成されているとともに、弾性舌片８の先端部には、板状部３ａの内面３ａ２から突出するように係止突部８ａが形成されている。係止突部８ａには、弾性舌片８の先端に向かうに従って高くなるような傾斜面８ａ１が形成されているとともに、係止突部８ａの係合枠６と対向する先端面８ａ２は、平坦な略垂直面として形成されている。
【００２３】
９は、必要に応じて、係合枠６側に位置する短側壁３の板状部３ａの内面３ａ２に形成された縦長の段部であり、段部９は、高さ方向には、短側壁３の上端から底部方向に、所定の長さ延在しているとともに、幅方向には、係合部６から、板状部３ａに形成されたコの字状のスリット７の垂直溝７ｂ付近まで延在しており、更に、段部９の厚さ（短側壁３の板状部３ａの内面３ａ２からの距離）Ｗ１は、段部９の短側壁３の内面３ａ２と略平行な平坦面９ａが、弾性舌片８に形成された係止突部８ａの先端面８ａ２を越えないように、換言すれば、弾性舌片８に形成された係止突部８ａの先端面８ａ２が、段部９を越えて突出するように構成されている。短側壁３に、このような段部９を形成した場合には、長側壁２の幅（長側壁２に形成された係合部５の垂直土手部５ｂ間の距離）Ｗ２は、短側壁３に形成された相対する段部９の平坦面９ａ間の距離と略同じに形成されることになる。
【００２４】
図３に示されているように、折り畳まれた状態から、図１に示されているように、箱型に組み立てるには、先ず最初に、図２に示されているように、略水平状態の短側壁３を、略垂直に立て、次いで、長側壁２を、略垂直に立てられた短側壁３方向に回動させると、長側壁２の係合部５に形成された嵌合突部５ｃの短側壁３の係合枠６に穿設された嵌合透孔６ｄへの嵌合に前後して、長側壁２の係合部５の垂直土手部５ｂが、短側壁３に形成された弾性舌片８の係止突部８ａの傾斜面８ａ１に当接し、弾性舌片８を外側に変形させる。そして、長側壁２の係合部５が、短側壁３に形成された弾性舌片８の係止突部８ａを通過した時点で、長側壁２の係合部５により外側に押された弾性舌片８が、その復元力により戻り、図８に示されているように、弾性舌片８の係止突部８ａの先端面８ａ２が、長側壁２の係合部５の内面（折り畳みコンテナーを折り畳みを箱型に組み立てた際に、内側に位置する面）５’に、当接或いは接近して位置することになり、従って、長側壁２の底部１方向への回動が阻止されることになる。
【００２５】
また、折り畳みコンテナーが箱型に組み立てられた際には、図８及び図９に示されているように、長側壁２の係合部５に形成された凹部５ｅに、短側壁３の係合部６を構成する略コの字状の突条部６ｃの垂直突条６ｃ２に突設された嵌合ブロック６ｅが嵌合されるように構成されている。従って、折り畳みコンテナーが箱型に組み立てられた際には、長側壁２の係合部５に形成された嵌合突部５ｃが、短側壁３の係合枠６に穿設された嵌合透孔６ｄに嵌合されるとともに、長側壁２の係合部５に形成された凹部５ｅに、短側壁３の係合部６を構成する略コの字状の突条部６ｃの垂直突条６ｃ２に突設された嵌合ブロック６ｅが嵌合されることになる。
【００２６】
上述したように、折り畳みコンテナーが箱型に組み立てられた際には、長側壁２の係合部５に形成された嵌合突部５ｃが、短側壁３の係合枠６に穿設された嵌合透孔６ｄに嵌合されるとともに、短側壁３の係合部６を構成する略コの字状の突条部６ｃの垂直突条６ｃ２に突設された嵌合ブロック６ｅが、長側壁２の係合部５に形成された凹部５ｅに嵌合されることになるので、長側壁２の係合部５に形成された嵌合突部５ｃが、短側壁３の係合枠６に穿設された嵌合透孔６ｄに嵌合されている場合のみに較べて、箱型に組み立てられた状態の折り畳みコンテナーにひねり等の負荷が加わった場合に、長側壁２の係合部５と短側壁３の係合枠６との係合状態の解除を、確実に防止することができるとともに、箱型に組み立てられた状態の折り畳みコンテナーの剛性を高めることができる。
【００２７】
また、短側壁３の内面３ａ１に、厚さＷ１の段部９を形成するとともに、長側壁２の幅Ｗ２が、短側壁３に形成された相対する段部９の平坦面９ａ間の距離と略同じに形成されているので、図２に示されているように、略垂直に立てられた短側壁３の板状部３ｂの内面３ａ２間の距離Ｗ３は、長側壁２の幅Ｗ２より、段部９の厚さＷ１の２倍だけ、長いことになる。このように構成することにより、折り畳みコンテナーの組み立て作業において、略水平に倒された状態の短側壁３を、図２に示されているように、略垂直に立て、次いで、略水平に倒された状態の長側壁２を、垂直方向に回動させる際に、長側壁２の係合部５が、短側壁３の係合部６に、ある程度、近づくまでは、長側壁２の係合部５が、短側壁３の板状部３ａに当接するようなことがないので、長側壁２の垂直方向への回動を、円滑に行うことができ、従って、折り畳みコンテナーの組み立て作業の作業性が向上する。
【００２８】
また、箱型に組み立てられた折り畳みコンテナーを、折り畳むには、先ず最初に、短側壁３の弾性舌片８を、その係止突部８ａが、長側壁２の係合部５から外れるように、外側に押し、その後、長側壁２を底部１方向に回動させることにより、長側壁２の係合部５に形成された嵌合突部５ｃを、短側壁３の係合枠６に形成された嵌合透孔６ｄから排出させるとともに、短側壁３の係合部６を構成する略コの字状の突条部６ｃの垂直突条６ｃ２に突設された嵌合ブロック６ｅを、長側壁２の係合部５に形成された凹部５ｅから排出させて、長側壁２を底部１に重なるように倒す。その後、略垂直な短側壁３を、底部１方向に倒すことにより、箱型に組み立てられた折り畳みコンテナーを折り畳むように構成されている。
【００２９】
上述した実施例には、箱型に組み立てられた状態から、底部１の長辺側土手部１ａにヒンジ連結された長側壁２を、先ず最初に、底部１方向に倒し、次いで、長辺側土手部１ａより高さの高い底部１の短辺側土手部１ｂにヒンジ連結された短側壁３を、底部１方向に倒すことにより、箱型に組み立てられた折り畳みコンテナーを折り畳むように構成された例が示されているが、底部１の長辺側土手部１ａの高さを、短辺側土手部１ｂの高さより高く構成することにより、箱型に組み立てられた状態から、短側壁３を、先ず最初に、底部１方向に倒し、次いで、長側壁２を、底部１方向に倒すことにより、箱型に組み立てられた折り畳みコンテナーを折り畳むように構成することもできる。この場合には、長側壁２に、上述した実施例の短側壁３に形成された弾性舌片８や係合部６が配設され、また、短側壁３に、上述した実施例の長側壁２に形成された係合部５が配設されることになる。
【図面の簡単な説明】
【００３０】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁の上部角部の部分拡大斜視図である。
【図５】図５は、同じく、本発明の折り畳みコンテナーの長側壁の上部角部の部分拡大斜視図である。
【図６】図６は、同じく、本発明の折り畳みコンテナーの長側壁の上部角部の部分拡大斜視図である。
【図７】図７は、本発明の折り畳みコンテナーの短側壁の上部角部の部分拡大斜視図である。
【図８】図８は、本発明の折り畳みコンテナーが箱型に組み立てられた状態の長側壁及び短側壁の上部角部の部分拡大斜視図である。
【図９】図９は、本発明の折り畳みコンテナーが箱型に組み立てられた状態の長側壁及び短側壁の上部角部の部分垂直断面図である。
【符号の説明】
【００３１】
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
５・・・・・・・・・・・・・・・係合部
５ｃ・・・・・・・・・・・・・・嵌合突部
５ｅ・・・・・・・・・・・・・・凹部
６・・・・・・・・・・・・・・・係合部
６ｄ・・・・・・・・・・・・・・嵌合透孔
６ｅ・・・・・・・・・・・・・・嵌合ブロック
【図１】
0004684769.tif 000002
【図２】
0004684769.tif 000003
【図３】
0004684769.tif 000004
【図４】
0004684769.tif 000005
【図５】
0004684769.tif 000006
【図６】
0004684769.tif 000007
【図７】
0004684769.tif 000008
【図８】
0004684769.tif 000009
【図９】
0004684769.tif 000010